【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
受電装置へ無線で送電を行う送電装置であって、
無線で送電を行う送電手段と、
当該送電装置の内部または周辺の温度を検出する検出手段と、
前記受電装置に前記送電手段により送電を行う際に前記検出手段により検出される温度が所定の温度を超えないという条件で前記受電装置に送電可能な電力の値を設定する設定手段と、を有し、
前記送電手段は、前記設定手段により設定された電力の値に基づいて、前記受電装置へ送電を行うことを特徴とする送電装置。
【請求項２】
前記検出手段により検出される温度が前記所定の温度を超える場合、前記送電手段による送電を制限する制限手段を更に有する請求項1に記載の送電装置。
【請求項３】
前記設定手段は、前記検出手段により検出される温度が、前記送電手段による送電により前記所定の温度を超えないという条件で、前記受電装置が前記送電装置からの送電電力を用いて充電を行うための最大の出力電力の値を、前記検出手段により検出された温度に基づいて設定し、
前記送電手段は、前記受電装置が前記最大の出力電力以下の電力を出力するのに必要な電力で前記受電装置へ送電を行うことを特徴とする請求項1または2に記載の送電装置。
【請求項４】
前記設定手段は、前記送電手段が送電を行う前に前記検出手段により検出される温度に基づいて、電力の値を設定することを特徴とする請求項1または2に記載の送電装置。
【請求項５】
前記設定手段は、前記検出手段により検出される温度が高いほど、小さな電力の値を設定することを特徴とする請求項1または2に記載の送電装置。
【請求項６】
前記受電装置との通信を行う通信手段を更に有し、
前記通信手段により受信された、前記受電装置が要求した電力の値が、前記設定手段により設定された前記最大の出力電力の値と同じかそれ以下である場合、前記通信手段は、送電を行うことを示す通知を送信し、前記送電手段は、前記受電装置が前記要求した電力を出力するのに必要な電力で前記受電装置へ送電を行うことを特徴とする請求項3から5のいずれか1項に記載の送電装置。
【請求項７】
前記通信手段により受信された要求に含まれる、前記受電装置が要求する電力の値が、前記設定手段により設定された前記最大の出力電力の値を超える場合、前記通信手段は、送電を行わないことを示す通知を送信し、送電手段は送電を行わないことを特徴とする請求項6に記載の送電装置。
【請求項８】
前記送電手段による送電を行っている際に、前記検出手段により検出される温度が前記所定の温度より低い温度で定常状態になった場合、前記設定手段は、前記受電装置に送電可能な電力の値をより大きな値に変更することを特徴とする請求項1から7のいずれか1項に記載の送電装置。
【請求項９】
前記送電手段は、前記送電手段が送電を行っている際に前記検出手段により検出される温度が、前記所定の温度より低い所定値を超える場合、前記受電装置に供給する電力を減らすことを特徴とする請求項1から8のいずれか1項に記載の送電装置。
【請求項１０】
前記受電装置が充電を行うための出力電力の値を取得する取得手段をさらに有し、
前記送電手段は、前記送電手段が送電を行っている際に前記検出手段により検出される温度が前記所定値を超える場合、前記取得手段により取得された出力電力の値より低い値が前記受電装置の充電を行うための出力電力となるように前記受電装置に供給する電力を減らすことを特徴とする請求項9に記載の送電装置。
【請求項１１】
前記検出手段は、前記送電装置の内部の部品の温度または前記送電装置の周囲の空気の温度であることを特徴とする請求項1から10のいずれか1項に記載の送電装置。
【請求項１２】
前記設定手段は、前記送電手段による送電を開始する前記検出手段により検出された温度、または、前記送電手段による送電を行っている間に前記検出手段により検出された温度に基づいて、前記受電装置に送電可能な電力の値を設定することを特徴とする請求項1または2に記載の送電装置。
【請求項１３】
送電装置から無線で受電を行う受電装置であって、
当該受電装置の内部または周辺の温度を検出する検出手段と、
受電を行う際に前記検出手段により検出される温度が所定の温度を超えないという条件で、前記送電装置からの送電電力を用いて充電を行うための出力電力要求値を設定する設定手段と、
前記要求値を前記送電装置に送信する通信手段と、
無線で受電を行う受電手段と、を有し、
前記通信手段が前記要求値を送信してから前記送電装置から送電を行うことを示す通知を受信した場合に、前記受電手段は、前記要求値に対応する電力を出力できるように、受電を行うことを特徴とする受電装置。
【請求項１４】
前記設定手段は、前記検出手段により検出される温度が、前記所定の温度より低い所定値を超える場合、前記送電装置からの送電電力を用いて充電を行うための出力電力の要求値を、現在の出力電力の値より低い値に変更し、
前記通信手段は、変更された要求値を前記送電装置に送信することを特徴とする請求項13に記載の受電装置。
【請求項１５】
前記検出手段により検出される温度が前記所定の温度より低い温度で定常状態になった場合、前記設定手段は、電力の要求値をより高くすることを特徴とする請求項13に記載の受電装置。
【請求項１６】
前記検出手段は、前記受電装置の内部の部品の温度または前記受電装置の周囲の空気の温度を検出することを特徴とする請求項13から15のいずれか1項に記載の受電装置。
【請求項１７】
受電装置へ無線で送電を行う送電装置の制御方法であって、
当該送電装置の内部または周辺の温度を検出する検出工程と、
前記受電装置に送電を行う際に前記検出工程において検出される温度が所定の温度を超えないという条件で前記受電装置に送電可能な電力の値を設定する設定工程と、
前記設定工程において設定された電力の値に基づいて、前記受電装置へ送電を行う送電工程と、
を有することを特徴とする送電装置の制御方法。
【請求項１８】
送電装置から無線で受電を行う受電装置の制御方法であって、
当該受電装置の内部または周辺の温度を検出する検出工程と、
受電を行う際に前記検出工程において検出される温度が所定の温度を超えないという条件で、前記送電装置からの送電電力を用いて充電を行うための出力電力要求値を設定する設定工程と、
無線で受電を行う受電工程と、を有し、
前記要求値を送信してから前記送電装置から送電を行うことを示す通知を受信した場合に、前記受電工程では、前記要求値に対応する電力を出力できるように、受電を行うことを特徴とする受電装置の制御方法。
【請求項１９】
コンピュータを、請求項1から12のいずれか１項に記載の送電装置として機能させるためのプログラム。
【請求項２０】
コンピュータを、請求項13から16のいずれか１項に記載の受電装置として機能させるためのプログラム。
【手続補正２】
【補正対象書類名】明細書
【補正対象項目名】発明の名称
【補正方法】変更
【補正の内容】
【発明の名称】送電装置、受電装置、それらの制御方法、およびプログラム
【手続補正３】
【補正対象書類名】明細書
【補正対象項目名】０００６
【補正方法】変更
【補正の内容】
【０００６】
上記目的を達成するための一手段として、本発明の送電装置は、以下の構成を有する。すなわち、受電装置へ無線で送電を行う送電装置であって、無線で送電を行う送電手段と、当該送電装置の内部または周辺の温度を検出する検出手段と、前記受電装置に前記送電手段により送電を行う際に前記検出手段により検出される温度が所定の温度を超えないという条件で前記受電装置に送電可能な電力の値を設定する設定手段と、を有し、前記送電手段は、前記設定手段により設定された電力の値に基づいて、前記受電装置へ送電を行う。